(57)【特許請求の範囲】
【請求項１】
互いに電気的に接続された複数の蓄電素子と、
該複数の蓄電素子を保持するホルダーとを備え、
前記複数の蓄電素子は、第一方向に整列されるとともに、隣の蓄電素子と前記第一方向に所定の間隔をあけた状態で配置され、隣り合う蓄電素子間に前記第一方向と直交する第二方向に貫通した蓄電素子間通気路を形成し、
前記ホルダーは、前記複数の蓄電素子を収容可能なホルダー本体を備え、
該ホルダー本体は、
前記第二方向に延びる少なくとも一つの壁部であって、前記複数の蓄電素子のうちの前記第一方向の最も端にある蓄電素子に外側から対向する少なくとも一つの壁部と、
前記第一方向及び前記第二方向と直交する第三方向で前記壁部と並んで形成される通気用開放部であって、前記第一方向及び前記第二方向に開放した通気用開放部と、
前記蓄電素子間通気路と対向する開口とを備える
蓄電装置。
【請求項２】
二つのホルダー本体を前記第一方向に並べて配置した状態で、一方のホルダー本体の前記壁部及び前記通気用開放部が他方のホルダー本体の壁部及び通気用開放部と向き合うようになっている
請求項１に記載の蓄電装置。
【請求項３】
前記一方のホルダー本体の前記壁部の少なくとも一部が前記他方のホルダー本体の前記通気用開放部と対向し、前記一方のホルダー本体の前記通気用開放部が前記他方のホルダー本体の前記壁部の少なくとも一部と対向する
請求項２に記載の蓄電装置。
【請求項４】
前記一方のホルダー本体の前記壁部が前記他方のホルダー本体の前記通気用開放部と対向し、前記一方のホルダー本体の前記通気用開放部が前記他方のホルダー本体の前記壁部と対向する
請求項３に記載の蓄電装置。
【請求項５】
前記壁部は、前記第三方向に間隔をあけて複数設けられ、
前記通気用開放部は、それぞれが前記複数の壁部のそれぞれと前記第三方向に並ぶように複数設けられ、
前記一方のホルダー本体の前記複数の壁部のそれぞれが前記他方のホルダー本体の複数の通気用開放部のそれぞれと対向し、前記一方のホルダー本体の前記複数の通気用開放部のそれぞれが前記他方のホルダー本体の複数の壁部のそれぞれと対向する
請求項４に記載の蓄電装置。
【請求項６】
前記壁部及び前記通気用開放部は、前記複数の蓄電素子の前記第一方向の両側のそれぞれに設けられ、
前記複数の蓄電素子のうちの前記第一方向の両端にある二つの蓄電素子のうちの一方の蓄電素子と対向する前記壁部及び前記通気用開放部と、前記二つの蓄電素子のうちの他方の蓄電素子と対向する前記壁部及び前記通気用開放部とは、前記第三方向で相対的に位置ずれして形成され、
前記一方の蓄電素子と対向する前記壁部の少なくとも一部が前記他方の蓄電素子と対向する前記通気用開放部と対応した位置に形成され、前記一方の蓄電素子と対向する前記通気用開放部が前記他方の蓄電素子と対向する前記壁部の少なくとも一部と対応した位置に形成される
請求項１〜請求項５の何れか１項に記載の蓄電装置。
【請求項７】
前記一方のホルダー本体の前記通気用開放部によって形成される通気路の前記第二方向から見た断面積と、前記他方のホルダー本体の前記通気用開放部によって形成される通気路の前記第二方向から見た断面積とが同一又は略同一である
請求項２〜請求項５の何れか１項に記載の蓄電装置。
【請求項８】
前記通気用開放部によって形成される通気路の前記第二方向から見た断面積と、前記蓄電素子間通気路の前記第二方向から見た断面積とが同一又は略同一である
請求項１〜請求項７の何れか１項に記載の蓄電装置。
【請求項９】
前記複数の蓄電素子のうちの前記第一方向の中央にある前記蓄電素子間通気路の第二方向から見た断面積が前記通気用開放部によって形成される通気路の前記第二方向から見た断面積よりも大きい
請求項１〜請求項７の何れか１項に記載の蓄電装置。
【請求項１０】
前記蓄電素子間通気路の前記第二方向から見た断面積が前記通気用開放部によって形成される通気路の前記第二方向から見た断面積よりも小さい
請求項１〜請求項７の何れか１項に記載の蓄電装置。
【請求項１１】
前記ホルダーは、前記ホルダー本体に収容された前記複数の蓄電素子上に配置されるホールド部材をさらに備える
請求項１〜請求項１０の何れか１項に記載の蓄電装置。
【発明の詳細な説明】
【技術分野】
【０００１】
本発明は、電池セル（単電池）やキャパシタなどの蓄電素子と、蓄電素子を保持するホルダーとを備えた蓄電装置に関する。
【背景技術】
【０００２】
従来から、機器の電力源として、蓄電装置の一形態である電池モジュールが提供されている。電池モジュールは、互いに電気的に接続された複数の単電池と、複数の単電池を保持するホルダーとを備える。
【０００３】
複数の単電池は、第一方向に整列されている。隣り合う単電池は、第一方向に所定の間隔をあけた状態で配置される。これにより、単電池間には、第一方向と直交する第二方向に貫通した電池間通気路が形成されている。
【０００４】
ホルダーには、種々のタイプがある。例えば、その一つとして、複数の単電池を収容可能に形成されたホルダー本体を備えたものが提供されている（例えば、特許文献１参照）。
【０００５】
ホルダー本体は、収容した複数の単電池の第一方向の両側に配置される一対の柱群を備える。一対の柱群のそれぞれは、第一方向の最も端にある単電池のみと対向する複数の柱部によって構成される。複数の柱部は、第一方向及び第二方向と直交する第三方向に延び、第二方向に間隔をあけて配置されている。これにより、第一方向で開放した通気用開放部が第二方向に並んで形成されている。
【０００６】
上記構成の電池モジュールによれば、電池間通気路に気体を流通させるとともに通気用開放部に気体を流通させることで、複数の単電池を冷却でき、充放電に伴う単電池の過剰な温度上昇を抑制できる、とされている。
【０００７】
しかしながら、第一方向の最も端にある単電池と対向する柱部は、気体の流通方向（第二方向）と直交する第三方向に延びている。そのため、柱部が第二方向での気体の円滑な流通を阻害する。すなわち、柱部の存在が通気用開放部内で第二方向に流通する気体の圧力損失を大きくしてしまう。従って、上記構成の電池モジュールでは、第一方向の最も端にある単電池が効率的に冷却されないことがある。
【０００８】
そして、この種の問題は、単電池に限られず、キャパシタなどの蓄電素子についても同様である。
【先行技術文献】
【特許文献】
【０００９】
【特許文献１】特開２００９−１８１８９６号公報
【発明の概要】
【発明が解決しようとする課題】
【００１０】
そこで、本発明は、複数の蓄電素子をそれぞれ効率的に冷却することができる蓄電装置を提供することを課題とする。
【課題を解決するための手段】
【００１１】
本発明に係る蓄電装置は、
互いに電気的に接続された複数の蓄電素子と、
該複数の蓄電素子を保持するホルダーとを備え、
前記複数の蓄電素子は、第一方向に整列されるとともに、隣の蓄電素子と前記第一方向に所定の間隔をあけた状態で配置され、隣り合う蓄電素子間に前記第一方向と直交する第二方向に貫通した蓄電素子間通気路を形成し、
前記ホルダーは、前記複数の蓄電素子を収容可能なホルダー本体を備え、
該ホルダー本体は、
前記第二方向に延びる少なくとも一つの壁部であって、前記複数の蓄電素子のうちの前記第一方向の最も端にある蓄電素子に外側から対向する少なくとも一つの壁部と、
前記第一方向及び前記第二方向と直交する第三方向で前記壁部と並んで形成される通気用開放部であって、前記第一方向及び前記第二方向に開放した通気用開放部と、
前記蓄電素子間通気路と対向する開口とを備える。
【００１２】
上記構成の蓄電装置によれば、少なくとも一つの壁部が第一方向の最も端にある蓄電素子に外側から対向する。従って、複数の蓄電素子の第一方向での移動が規制される。
【００１３】
そして、蓄電素子間通気路に気体を流通させたとき、気体は、蓄電素子間通気路の両側にある蓄電素子に沿って流通する。これにより、複数の蓄電素子のそれぞれが冷却される。また、通気用開放部は、上述のように、第一方向及び第二方向に開放している。これにより、通気用開放部に気体を流通させたとき、通気用開放部内の気体は、何ら流れが阻害されることなく、第一方向の最も端にある蓄電素子の外面に沿って第二方向に流れる。このとき、第二方向に開放している通気用開放部を流通する気体の圧力損失が大きくならず、通気用開放部を流通する気体は第二方向に円滑に流通する。従って、通気用開放部を流通する気体によって第一方向の最も端にある蓄電素子が効率的に冷却される。
【００１４】
ここで、本発明に係る蓄電装置の一態様として、
二つのホルダー本体を第一方向に並べて配置した状態で、一方のホルダー本体の壁部及び通気用開放部が他方のホルダー本体の壁部及び通気用開放部と向き合うようになっている
ようにすることができる。
【００１５】
このようにすれば、複数の蓄電装置のそれぞれにおける複数の蓄電素子のそれぞれが第二方向の一方側から他方側に向けて流通する気体によって冷却される。
【００１６】
この場合、
一方のホルダー本体の壁部の少なくとも一部が他方のホルダー本体の通気用開放部と対向し、一方のホルダー本体の通気用開放部が他方のホルダー本体の壁部の少なくとも一部と対向する
ようにすることができる。
【００１７】
このようにすれば、複数の蓄電装置を第一方向に並べた状態で、隣り合う蓄電装置の蓄電素子間に壁部の少なくとも一部が介在する。従って、第一方向に並べられた蓄電装置に第一方向の外力が作用しても、隣り合う蓄電装置の蓄電素子同士が直接接触しにくくなる。従って、隣り合う蓄電装置同士の絶縁性が高くなる。
【００１８】
さらにこの場合、
一方のホルダー本体の壁部が他方のホルダー本体の通気用開放部と対向し、一方のホルダー本体の通気用開放部が他方のホルダー本体の壁部と対向する
ようにすることができる。
【００１９】
このようにすれば、複数の蓄電装置を第一方向に並べた状態で、隣り合う蓄電装置の蓄電素子間に壁部が介在する。従って、第一方向に並べられた蓄電装置に第一方向の外力が作用しても、隣り合う蓄電装置の蓄電素子同士が直接接触することがない。従って、隣り合う蓄電装置同士の絶縁性がより高くなる。また、隣り合う蓄電装置の蓄電素子間に異物が混入して蓄電素子間が短絡するのを防止することができる。また、一方のホルダー本体の壁部が隣り合う他方のホルダー本体の通気用開放部の外側を閉じることにより、他方のホルダー本体の通気用開放部が第一方向で蓄電素子側が開放しつつ第二方向に貫通した通気路となる。また、一方のホルダー本体の通気用開放部は、隣り合う他方のホルダー本体の壁部によって外側が閉じられ、第一方向で蓄電素子側が開放しつつ第二方向に貫通した通気路となる。従って、通気用開放部によって形成される通気路が広くなりすぎず、隣り合う蓄電装置のそれぞれにおいて、第一方向の端にある蓄電素子が過度に冷却されることを防止できる。
【００２０】
さらにこの場合、
壁部は、第三方向に間隔をあけて複数設けられ、
通気用開放部は、それぞれが複数の壁部のそれぞれと第三方向に並ぶように複数設けられ、
一方のホルダー本体の複数の壁部のそれぞれが他方のホルダー本体の複数の通気用開放部のそれぞれと対向し、一方のホルダー本体の複数の通気用開放部のそれぞれが他方のホルダー本体の複数の壁部のそれぞれと対向する
ようにすることができる。
【００２１】
このようにすれば、一方のホルダー本体の複数の壁部のそれぞれが隣り合う他方のホルダー本体の複数の通気用開放部のそれぞれの外側を閉じることにより、他方のホルダー本体の複数の通気用開放部のそれぞれが第一方向で蓄電素子側が開放しつつ第二方向に貫通した通気路となる。また、一方のホルダー本体の複数の通気用開放部のそれぞれは、隣り合う他方のホルダー本体の複数の壁部によって外側が閉じられ、第一方向で蓄電素子側が開放しつつ第二方向に貫通した通気路となる。従って、隣り合う一方の蓄電装置において、複数の通気路が第三方向に間隔をあけて形成され、隣り合う他方の蓄電装置においても、複数の通気路が第三方向に間隔をあけて形成される。従って、隣り合う蓄電装置のそれぞれにおいて、第一方向の最も端にある蓄電素子に対する第三方向での冷却の偏りがなく、蓄電素子全体を均等に冷却することができる。
【００２２】
また、本発明に係る蓄電装置の他態様として、
壁部及び通気用開放部は、複数の蓄電素子の第一方向の両側のそれぞれに設けられ、
複数の蓄電素子のうちの第一方向の両端にある二つの蓄電素子のうちの一方の蓄電素子と対向する壁部及び通気用開放部と、二つの蓄電素子のうちの他方の蓄電素子と対向する壁部及び通気用開放部とは、第三方向で相対的に位置ずれして形成され、
一方の蓄電素子と対向する壁部の少なくとも一部が他方の蓄電素子と対向する通気用開放部と対応した位置に形成され、一方の蓄電素子と対向する通気用開放部が他方の蓄電素子と対向する壁部の少なくとも一部と対応した位置に形成される
ようにすることができる。
【００２３】
このようにすれば、上記構成のホルダー本体を備えた蓄電装置が複数第一方向に並べられるときに、隣り合う蓄電装置のうちの一方の蓄電装置における両端にある二つの蓄電素子のうちの一方の蓄電素子と対向する壁部及び通気用開放部と、他方の蓄電装置における両端にある二つの蓄電素子のうちの他方の蓄電素子と対向する壁部及び通気用開放部とを向かい合わせにして配置することで、一方のホルダー本体の壁部の少なくとも一部が他方のホルダー本体の通気用開放部と対向し、一方のホルダー本体の通気用開放部が他方のホルダー本体の壁部の少なくとも一部と対向する。従って、複数の蓄電装置を並べて配置するにあたり、複数種類のホルダー本体を作製することなく、隣り合うホルダー本体の壁部と通気用開放部とを対応させた状態にすることができる。これにより、ホルダー本体の製作コスト、ひいては蓄電装置の製造コストを低減できる。
【００２４】
また、本発明に係る蓄電装置の別の態様として、
一方のホルダー本体の通気用開放部によって形成される通気路の第二方向から見た断面積と、他方のホルダー本体の通気用開放部によって形成される通気路の第二方向から見た断面積とが同一又は略同一である
ようにすることができる。
【００２５】
このようにすれば、隣り合う蓄電装置のうちの一方のホルダー本体の通気用開放部によって形成される通気路を流通する気体の流量と、他方のホルダー本体の通気用開放部によって形成される通気路を流通する気体の流量とを均一又は略均一にすることができる。これにより、隣り合う蓄電装置の蓄電素子を同等又は略同等の条件で冷却できる。従って、複数の蓄電装置のそれぞれにおける複数の蓄電素子を等しい条件で冷却することができ、安定した電力供給が可能となる。
【００２６】
また、本発明に係る蓄電装置のさらに別の態様として、
通気用開放部によって形成される通気路の第二方向から見た断面積と、蓄電素子間通気路の第二方向から見た断面積とが同一又は略同一である
ようにすることができる。
【００２７】
このようにすれば、それぞれの通気路を流通する気体の流量が等しく又は略等しくなる。従って、蓄電装置における複数の蓄電素子の全てを同じ又は略同じ条件で冷却することができる。
【００２８】
また、本発明に係る蓄電装置の別の態様として、
複数の蓄電素子のうちの第一方向の中央にある蓄電素子間通気路の第二方向から見た断面積が通気用開放部によって形成される通気路の第二方向から見た断面積よりも大きい
ようにすることができる。
【００２９】
このようにすれば、蓄電装置の中央にある蓄電素子間通気路を流通する気体の流量が通気用開放部によって形成される通気路を流通する気体の流量よりも多くなる。中央にある蓄電素子が温度上昇しやすい蓄電装置への対策である。
【００３０】
また、本発明に係る蓄電装置のさらに別の態様として、
蓄電素子間通気路の第二方向から見た断面積が通気用開放部によって形成される通気路の第二方向から見た断面積よりも小さい
ようにすることができる。
【００３１】
このようにすれば、それぞれの蓄電素子間通気路を流通する気体の流量が通気用開放部によって形成される通気路を流通する気体の流量よりも少なくなるものの、蓄電素子間に異物が混入して蓄電素子間が短絡するのを防止することができる。
【００３２】
本発明の別の態様として、
ホルダーは、ホルダー本体に収容された複数の蓄電素子上に配置されるホールド部材をさらに備える
ようにすることができる。
【００３３】
このようにすれば、ホールド部材によって、複数の蓄電素子の第三方向の移動が規制される。従って、かかる構成の蓄電装置は、振動の発生する機器に電力源として採用されても、複数の蓄電素子を適正な配置で確実に保持することができる。
【発明の効果】
【００３４】
以上のように、本発明によれば、複数の蓄電素子をそれぞれ効率的に冷却することができるという優れた効果を奏し得る。
【図面の簡単な説明】
【００３５】
【図１】図１は、本発明の一実施形態に係る電池モジュールの全体斜視図である。
【図２】図２は、同実施形態に係る電池モジュールの分解斜視図である。
【図３】図３は、同実施形態に係る電池モジュールの単電池の説明図であって、図３Ａは、単電池の平面図であり、図３Ｂは、単電池の正面図である。
【図４】図４は、同実施形態に係る電池モジュールの単電池及び電池間通気路の配置に関する説明図であって、モジュール部材及びカバーを取り除いた状態の平面図である。
【図５】図５は、同実施形態に係る電池モジュールのホルダー本体の斜視図であって、図５Ａは、Ｘ方向及びＹ方向の一方側から見たホルダー本体の斜視図であり、図５Ｂは、Ｘ方向及びＹ方向の他方側から見たホルダー本体の斜視図である。
【図６】図６は、同実施形態に係る電池モジュールのホールド部材の平面図である。
【図７】図７は、同実施形態に係る電池モジュールを二つ並べた状態のＹ方向から見た正面図である。
【図８】図８は、図７のＡ部拡大図である。
【図９】図９は、図７のＩ−Ｉ断面図であって、第一モジュール間通気路での気体の流通状態を含む断面図を示す。
【図１０】図１０は、図７のＩＩ−ＩＩ断面図であって、第二モジュール間通気路での気体の流通状態を含む断面図を示す。
【発明を実施するための形態】
【００３６】
以下、本発明の一実施形態に係る電池モジュールについて、添付図面を参照しつつ説明する。
【００３７】
図１及び図２に示すように、電池モジュール１は、複数の単電池２，…と、複数の単電池２，…を保持するホルダー３とを備えている。電池モジュール１は、単電池２，…同士を電気的に接続するバスバー４、及び複数の単電池２，…を保持したホルダー３を覆うカバー５をさらに備えている。
【００３８】
複数の単電池２，…のそれぞれには、外観直方体状の角形電池や、外観円柱状の丸形電池が採用され得る。本実施形態において、単電池２には、角形電池が採用されている。
【００３９】
単電池２は、図３Ａ及び図３Ｂに示すように、ケース２０と、ケース２０内に収容された発電要素（図示しない）と、それぞれが発電要素に電気的に接続された状態で、ケース２０の外面上に配置された一対の外部端子２１，２１とを備える。
【００４０】
ケース２０は、単電池のタイプに応じた形状に形成される。本実施形態では、単電池２が上述のように角形電池であるのに伴い、ケース２０は、外観直方体に形成されている。すなわち、ケース２０は、第一方向（図３Ａに示された直交軸のうちのＸ方向）に間隔をあけて対向する一対の第一平板部２００，２００と、一対の第一平板部２００，２００の間で第一方向と直交する第二方向（図示された直交軸のうちのＹ方向）に間隔をあけて対向する一対の第二平板部２０１，２０１と、一対の第一平板部２００，２００の間及び一対の第二平板部２０１，２０１の間で第一方向及び第二方向のそれぞれと直交する第三方向（図３Ｂに示された直交軸のうちのＺ方向）に間隔をあけて対向する一対の第三平板部２０２，２０２とを含む。なお、図を参酌しつつ説明するにあたり、便宜上、第一方向をＸ方向といい、第二方向をＹ方向といい、第三方向をＺ方向という。
【００４１】
ケース２０は、Ｘ方向に扁平している。より具体的に説明すると、一対の第一平板部２００，２００のそれぞれは、Ｙ方向に長手をなした長方形状に形成されている。一対の第二平板部２０１，２０１のそれぞれは、Ｘ方向の長さが第一平板部２００におけるＹ方向の長さよりも短く、Ｚ方向で長手をなした長方形状に形成されている。これに伴い、一対の第三平板部２０２，２０２のそれぞれは、Ｙ方向の長さが第一平板部２００のＹ方向の長さと一致するとともに、Ｘ方向の長さが第二平板部２０１のＸ方向の長さと一致し、Ｙ方向に長手をなす長方形状に形成されている。
【００４２】
発電要素は、電気絶縁性を有するセパレータと、セパレータを間に挟んで重ね合わされた正極板及び負極板とを含む。一方の外部端子２１は、発電要素の正極板に電気的に接続されている。これに対し、他方の外部端子２１は、発電要素の負極板に電気的に接続されている。これにより、一方の外部端子２１は、正極端子と称され、他方の外部端子２１は、負極端子と称される。
【００４３】
一対の外部端子２１，２１は、一方の第三平板部２０２の外面上に配置されている。第三平板部２０２は、Ｙ方向に長手をなしている。これに伴い、一対の外部端子２１，２１は、Ｙ方向に間隔をあけて配置されている。なお、本実施形態の外部端子２１には、電気的な負荷を接続するにあたってナットＮを螺合させるボルト端子が採用されている（図２参照）。
【００４４】
複数の単電池２，…は、図２及び図４に示すように、Ｘ方向に整列されている。複数の単電池２，…は、それぞれの第二平板部２０１，…が同一の仮想面ＶＳ１上に位置し（図４参照）、それぞれの第三平板部２０２，…が同一の仮想面ＶＳ２上に位置するよう（図２参照）、Ｘ方向に整列した状態で配置される。
【００４５】
これに伴い、複数の単電池２，…のそれぞれは、図４に示すように、一対の第一平板部２００，２００を隣り合う単電池２，２のそれぞれの第一平板部２００に対向させた状態になっている。また、複数の単電池２，…のそれぞれは、一対の外部端子２１，２１をＺ方向の一方側（上方側）に位置させるように配置されている。
【００４６】
隣り合う単電池２，２は、Ｘ方向に所定の間隔をあけた状態で配置される。これにより、単電池２，２間には、Ｙ方向に貫通した通気路（以下、電池間通気路という）Ｒが形成されている。すなわち、複数の単電池２，…がＸ方向に間隔をあけて配置されることで、隣り合う単電池２，２の第一平板部２００，２００間に冷却用の気体Ｇを流通させる電池間通気路Ｒが形成されている。
【００４７】
図２に戻り、ホルダー３は、複数の単電池２，…を収容可能なホルダー本体３０を備える。ホルダー３は、ホルダー本体３０に加え、ホルダー本体３０に収容された複数の単電池２，…上に配置されるホールド部材３１をさらに備える。
【００４８】
ホルダー本体３０は、図５Ａ及び図５Ｂに示すように、第二方向に延びる壁部３０４，３０６であって、Ｘ方向の最も端にある単電池２に外側から対向する壁部３０４，３０６と、Ｚ方向で壁部３０４，３０６と並んで壁部３０４，３０６に沿って形成される通気用開放部３０５，３０７であって、Ｘ方向及びＹ方向に開放した通気用開放部３０５，３０７と、を備える。
【００４９】
より具体的に説明すると、ホルダー本体３０は、複数の単電池２，…を載置可能に形成された底部３００と、底部３００に載置された複数の単電池２，…の上部を一括して包囲可能に形成された枠部３０１と、電池間通気路Ｒに非対向状態で配置された柱部３０２，３０３とを備える。ホルダー本体３０は、Ｘ方向の最も端にある一方の単電池２に外側から対向する壁部３０４であって、Ｙ方向に延びる少なくとも一つの壁部（以下、第一壁部という）３０４と、Ｚ方向で第一壁部３０４と並んで第一壁部３０４に沿って形成される通気用開放部３０５であって、Ｘ方向及びＹ方向に開放した通気用開放部（以下、第一通気用開放部という）３０５と、Ｘ方向の最も端にある他方の単電池２に外側から対向する壁部３０６であって、Ｙ方向に延びる少なくとも一つの壁部（以下、第二壁部という）３０６と、Ｚ方向で第二壁部３０６と並んで第二壁部３０６に沿って形成される通気用開放部３０７であって、Ｘ方向及びＹ方向に開放した通気用開放部（以下、第二通気用開放部という）３０７とを備える。
【００５０】
底部３００は、それぞれがＸ方向に延びてＹ方向に間隔をあけて並ぶ一対の第一縁部Ｅ１，Ｅ１及びそれぞれがＹ方向に延びて一対の第一縁部Ｅ１，Ｅ１の間でＸ方向に間隔をあけて並ぶ一対の第二縁部Ｅ２，Ｅ２を有する。底部３００は、整列した複数の単電池２，…を載置可能に構成されている。
【００５１】
より具体的に説明すると、底部３００は、整列した複数の単電池２，…全体が占有する平面領域と対応するように平面形状及び平面サイズが設定された底部本体３００ａと、底部本体３００ａの外周縁全周から起立し、底部本体３００ａに載置された複数の単電池２，…の下部を一括して包囲する底枠部３００ｂとを備える。
【００５２】
本実施形態では、上述のように、角形電池の単電池２が採用され、複数の単電池２，…がＸ方向に整列して配置される。すなわち、複数の単電池２，…全体が占有する平面領域は、四角形状である。これに伴い、底部本体３００ａは、外郭略四角形状に形成される。底部本体３００ａの外郭は、底部３００全体の外郭と一致している。そして、底部３００は、底部本体３００ａ上に配置された複数のスペーサ３００ｃ，…を備える。複数のスペーサ３００ｃ，…のそれぞれは、Ｙ方向に長手をなす帯板状に形成されている。スペーサ３００ｃのＸ方向の厚みは、それぞれの電池間通気路ＲのＸ方向のサイズに対応している。複数のスペーサ３００ｃ，…は、単電池２のＸ方向のサイズに対応した間隔をＸ方向にあけて配置されている。
【００５３】
底枠部３００ｂは、底部本体３００ａ外郭に沿って設けられる。すなわち、底枠部３００ｂは、それぞれがＸ方向に第一端部及び第一端部の反対側の第二端部を有するとともに、それぞれがＺ方向に第三端部及び第三端部の反対側の第四端部を有する一対の第一起立部３００ｄ，３００ｄであって、Ｘ方向に延びてＹ方向に間隔をあけて並ぶ一対の第一起立部３００ｄ，３００ｄと、それぞれがＹ方向に第一端部及び第一端部の反対側の第二端部を有するとともに、それぞれがＺ方向に第三端部及び第三端部の反対側の第四端部を有する一対の第二起立部３００ｅ，３００ｅであって、一対の第一起立部３００ｄ，３００ｄの間でＸ方向に間隔をあけて並ぶ一対の第二起立部３００ｅ，３００ｅとを備えている。
【００５４】
一対の第一起立部３００ｄ，３００ｄのそれぞれは、Ｘ方向に真っ直ぐに延びている。一対の第二起立部３００ｅ，３００ｅのそれぞれは、Ｙ方向に真っ直ぐに延びている。一方の第一起立部３００ｄの第一端部は、一方の第二起立部３００ｅの第一端部に接続される。一方の第一起立部３００ｄの第二端部は、他方の第二起立部３００ｅの第一端部に接続されている。他方の第一起立部３００ｄの第一端部は、一方の第二起立部３００ｅの第二端部に接続されている。他方の第一起立部３００ｄの第二端部は、他方の第二起立部３００ｅの第二端部に接続されている。一対の第一起立部３００ｄ，３００ｄのそれぞれの第三端部及び一対の第二起立部３００ｅ，３００ｅのそれぞれの第三端部は、底部本体３００ａに接続されている。
【００５５】
これにより、一対の第一起立部３００ｄ，３００ｄが底部３００全体における一対の第一縁部Ｅ１，Ｅ１を構成し、一対の第二起立部３００ｅ，３００ｅが底部３００全体における一対の第二縁部Ｅ２，Ｅ２を構成している。
【００５６】
枠部３０１は、それぞれが底部３００における一対の第一縁部Ｅ１，Ｅ１のそれぞれに対応して配置された一対の枠板部（以下、それぞれ第一枠板部という）３０１ａ，３０１ａと、それぞれが一対の第二縁部Ｅ２，Ｅ２のそれぞれに対応して配置された一対の枠板部（以下、それぞれ第二枠板部という）３０１ｂ，３０１ｂとを含む。枠部３０１は、一対の第一枠板部３０１ａ，３０１ａ及び一対の第二枠板部３０１ｂ，３０１ｂによって包囲可能に構成されている。
【００５７】
一対の第一枠板部３０１ａ，３０１ａのそれぞれは、Ｘ方向に真っ直ぐに延びている。これに伴い、一対の第一枠板部３０１ａ，３０１ａのそれぞれは、Ｘ方向に第一端部及び第一端部の反対側の第二端部を有するとともに、Ｚ方向に第三端部及び第三端部の反対側の第四端部を有する。一対の第二枠板部３０１ｂ，３０１ｂのそれぞれは、Ｙ方向に真っ直ぐに延びている。これに伴い、一対の第二枠板部３０１ｂ，３０１ｂのそれぞれは、Ｙ方向に第一端部及び第一端部の反対側の第二端部を有するとともに、Ｚ方向に第三端部及び第三端部の反対側の第四端部を有する。
【００５８】
一方の第一枠板部３０１ａの第一端部は、一方の第二枠板部３０１ｂの第一端部に接続される。一方の第一枠板部３０１ａの第二端部は、他方の第二枠板部３０１ｂの第一端部に接続されている。他方の第一枠板部３０１ａの第一端部は、一方の第二枠板部３０１ｂの第二端部に接続されている。他方の第一枠板部３０１ａの第二端部は、他方の第二枠板部３０１ｂの第二端部に接続されている。
【００５９】
枠部３０１には、周方向に間隔をあけて複数の係合穴３０１ｃ，…が設けられている。すなわち、一対の第一枠板部３０１ａ，３０１ａ及び一対の第二枠板部３０１ｂ，３０１ｂのそれぞれには、長手方向に間隔をあけて二つ以上の係合穴３０１ｃ，…が設けられている。なお、係合穴３０１ｃ，…は、内側に開放していれば貫通穴でも非貫通穴でもよいが、本実施形態では貫通穴で構成されている。
【００６０】
柱部３０２，３０３のそれぞれは、Ｚ方向の第一端部及び第一端部の反対側の第二端部を有する。第一端部が底部３００における第一縁部Ｅ１に接続されるとともに、第二端部が第一端部が接続された第一縁部Ｅ１と対応する枠部３０１における第一枠板部３０１ａに接続されている。すなわち、柱部３０２，３０２のそれぞれは、底部３００と枠部３０１との間でＺ方向に延びている。本実施形態では、複数の柱部３０２，…と複数の柱部３０３，…を備えている。複数の柱部３０２，…及び複数の柱部３０３，…は、互いにＸ方向に間隔をあけて配置されている。
【００６１】
より具体的に説明すると、ホルダー本体３０は、底部３００における一方の第一縁部Ｅ１と一方の第一縁部Ｅ１と対応する一方の第一枠板部３０１ａとを接続した複数の第一柱部３０２，…と、底部３００における他方の第一縁部Ｅ１と他方の第一縁部Ｅ１と対応する他方の第一枠板部３０１ａとを接続する複数の第二柱部３０３，…とを備える。
【００６２】
複数の第一柱部３０２，…のそれぞれは、Ｚ方向に第一端部及び第一端部の反対側の第二端部を有する。複数の第一柱部３０２，…のそれぞれは、Ｘ方向が単電池２の第二平板部２０１のＸ方向の長さ未満に設定され、Ｚ方向に長手をなす帯板状に形成される。
【００６３】
複数の第一柱部３０２，…のそれぞれは、電池間通気路Ｒを躱すように、電池間通気路Ｒと非対向状態で配置されている。すなわち、複数の第一柱部３０２，…のそれぞれは、複数の単電池２，…のそれぞれに対応するように配置されている。複数の第一柱部３０２，…は、対応する電池間通気路Ｒに対する空気に流入又は流出を阻害することのないように、対応する単電池２の第二平板部２０１のみと対向している。これにより、複数の第一柱部３０２，…のそれぞれは、隣り合う第一柱部３０２との間に電池間通気路Ｒと対向する開口を形成した状態になっている。
【００６４】
複数の第一柱部３０２，…のそれぞれの第一端部は、底枠部３００ｂにおける一方の第一起立部３００ｄの第四端部に接続されている。複数の第一柱部３０２，…のそれぞれの第二端部は、枠部３０１における一方の第一枠板部３０１ａの第三端部に接続されている。
【００６５】
複数の第二柱部３０３，…のそれぞれは、Ｚ方向に第一端部及び第一端部の反対側の第二端部を有する。複数の第二柱部３０３，…のそれぞれは、Ｘ方向が単電池２の第二平板部２０１のＸ方向の長さ未満に設定され、Ｚ方向に長手をなす帯板状に形成される。
【００６６】
複数の第二柱部３０３，…のそれぞれは、電池間通気路Ｒを躱すように、電池間通気路Ｒと非対向状態で配置されている。すなわち、複数の第二柱部３０３，…のそれぞれは、複数の単電池２，…のそれぞれに対応するように配置されている。複数の第二柱部３０３，…は、対応する電池間通気路Ｒに対する空気に流入又は流出を阻害することのないように、対応する単電池２の第二平板部２０１のみと対向している。これにより、複数の第二柱部３０３，…のそれぞれは、隣り合う第二柱部３０３との間に電池間通気路Ｒと対向する開口を形成した状態になっている。なお、複数の第一柱部３０２，…のそれぞれは、対応する単電池２を挟んで複数の第二柱部３０３，…のそれぞれと互いに対峙している。
【００６７】
複数の第二柱部３０３，…のそれぞれの第一端部は、底枠部３００ｂにおける他方の第一起立部３００ｄの第四端部に接続されている。複数の第二柱部３０３，…のそれぞれの第二端部は、枠部３０１における他方の第一枠板部３０１ａの第三端部に接続されている。
【００６８】
第一壁部３０４は、一方の第二枠板部３０１ｂと一方の第二縁部Ｅ２との間に配置されている。より具体的に説明すると、第一壁部３０４は、Ｙ方向に第一端部及び第一端部の反対側の第二端部を有する。第一壁部３０４は、Ｙ方向に長手をなす帯板状に形成される。第一壁部３０４は、複数（本実施形態では二つ）設けられている。複数の第一壁部３０４，…は、底部３００と枠部３０１との間でＺ方向に所定の間隔をあけて配置されている。本実施形態では、一方の第一壁部３０４は、Ｚ方向で枠部３０１の第二枠板部３０１ｂと所定の間隔をあけて配置されている。他方の第一壁部３０４は、底部３００の第二起立部３００ｅと一体的に形成されている。本実施形態では、一方の第一壁部３０４と枠部３０１の第二枠板部３０１ｂとの間隔は、二つの第一壁部３０４，３０４の間隔と同一に設定されている。
【００６９】
なお、底部３００と枠部３０１との間隔と、複数の第一壁部３０４，…の間隔との関係で、二つの第一壁部３０４，３０４のそれぞれのＹ方向の長さが異なっている。しかしながら、第一壁部３０４，…が複数配置される場合、第一壁部３０４，…の数、底部３００と枠部３０１との間隔、複数の第一壁部３０４，…の間隔との関係を考慮し、複数の第一壁部３０４，…のそれぞれにおけるＺ方向の長さが均一にされてもよい。
【００７０】
Ｘ方向の最も一方側に配置された第一柱部３０２及び第二柱部３０３のそれぞれが、一対の第一起立部３００ｄ，３００ｄのそれぞれの第一端部に連結されている。これに伴い、複数の第一壁部３０４，…のそれぞれの第一端部は、Ｘ方向の最も一方側に配置された第一柱部３０２に直接接続され、複数の第一壁部３０４，…のそれぞれの第二端部は、Ｘ方向の最も一方側に配置された第二柱部３０３に直接接続されている。これにより、複数の第一壁部３０４，…のそれぞれは、Ｘ方向の最も外側にある一方の単電池３，…と対向した状態で固定されている。
【００７１】
ここで、複数の第一壁部３０４，…の厚みは、底部３００から枠部３０１に向かうにつれて薄くなっている。そのため、複数の第一壁部３０４，…の内面とＸ方向の最も端にある単電池２の側面（ケース２０の第一平板部２００）との距離は、底部３００から枠部３０１に向かうにつれて大きくなっている。すなわち、複数の第一壁部３０４，…の内面は、底部３００から枠部３０１に向かうにつれて次第に単電池２の側面から離間する傾斜状となっている。複数の第一壁部３０４，…をこのように形成することで、Ｘ方向の最も端にある単電池２をホルダー本体３０内に挿入する際、挿入がしやすくなり、また、Ｘ方向の最も端にある単電池２を冷却して加温された気体が上部に逃げやすくなっている。
【００７２】
なお、複数の第一壁部３０４，…のそれぞれは、内面にリブ３０８を有している。それぞれのリブ３０８は、Ｚ方向に沿って形成され、且つ、Ｚ方向の同一線上に形成されている。より具体的に説明すると、それぞれのリブ３０８は、第一壁部３０４の上縁から下縁にかけてＺ方向に沿って形成され、且つ、Ｚ方向の同一線上に並ぶように形成されている。そのため、それぞれのリブ３０８は、Ｚ方向に長尺な一本のリブが第一通気用開放部３０５によって分断された形態となっている。Ｚ方向に長尺な一本のリブは、本実施形態では、複数の第一壁部３０４，…のそれぞれＹ方向の第一端部と第二端部の左右二箇所に形成されている（図５Ｂでは、左側のみ現れている）。そして、それぞれのリブ３０８は、Ｘ方向の最も端にある単電池２の側面と平行に当接し、該単電池２のＸ方向における移動を規制している。
【００７３】
第一通気用開放部３０５は、Ｘ方向で開放するとともにＹ方向に開放している。より具体的に説明すると、第一通気用開放部３０５は、第一壁部３０４に沿って形成される第一壁部３０４の非形成領域である空間で構成される。第一通気用開放部３０５のＺ方向のサイズは、Ｙ方向の全長に亘って均一に設定されている。複数の第一壁部３０４，…がＺ方向に間隔をあけて配置されるのに伴い、第一通気用開放部３０５は、Ｚ方向で間隔をあけて複数箇所に形成される。本実施形態では、二つの第一壁部３０４，３０４がＺ方向に間隔をあけて配置される。これに伴い、第一通気用開放部３０５は、Ｚ方向で隣り合う枠部３０１の第二枠板部３０１ｂと一方の第一壁部３０４との間及びＺ方向で隣り合う二つの第一壁部３０４，３０４間に形成される。そして、上述のように、一方の第一壁部３０４と枠部３０１との間隔が二つの第一壁部３０４，３０４の間隔と同一に設定されることにより、二つの第一通気用開放部３０５，３０５のそれぞれのＺ方向のサイズは同一になっている。
【００７４】
第一通気用開放部３０５によって形成される通気路（後述する第一モジュール間通気路）Ｒ１（図７及び図８参照）のＹ方向から見た断面積（気体が流通する全領域の面積）、より詳しくは、ホルダー本体３０を外部からＹ方向に見た場合の第一モジュール間通気路Ｒ１の断面積がそれぞれの電池間通気路ＲのＹ方向から見た断面積と同一又は略同一になるように、第一通気用開放部３０５のＸ方向のサイズ及びＺ方向のサイズが設定されている。本実施形態では、二箇所に第一通気用開放部３０５，３０５が形成されている。そのため、二箇所の第一通気用開放部３０５，３０５のそれぞれによって形成される第一モジュール間通気路Ｒ１，Ｒ１の断面積の合計がそれぞれの電池間通気路Ｒの断面積と同一又は略同一になるように、二つの第一通気用開放部３０５，３０５のそれぞれのサイズが設定されている。
【００７５】
第二壁部３０６は、他方の第二枠板部３０１ｂと他方の第二縁部Ｅ２との間に配置されている。より具体的に説明すると、第二壁部３０６は、Ｙ方向に第一端部及び第一端部の反対側の第二端部を有する。第二壁部３０６は、Ｙ方向に長手をなす帯板状に形成される。第二壁部３０６は、複数（本実施形態では二つ）設けられている。複数の第二壁部３０６，…は、底部３００と枠部３０１との間でＺ方向に所定の間隔をあけて配置されている。本実施形態では、一方の第二壁部３０６が枠部３０１の第二枠板部３０１ｂと一体的に形成されている。他方の第二壁部３０６は、底部３００の第二起立部３００ｅと間隔をあけて配置されている。本実施形態では、他方の第二壁部３０６と底部３００の第二起立部３００ｅとの間隔は、二つの第二壁部３０６，３０６の間隔と同一に設定されている。
【００７６】
なお、底部３００と枠部３０１との間隔と、複数の第二壁部３０６，…の間隔との関係で、二つの第二壁部３０６，３０６のそれぞれのＹ方向の長さが異なっている。しかしながら、第二壁部３０６，…が複数配置される場合、第二壁部３０６，…の数、底部３００と枠部３０１との間隔、複数の第二壁部３０６，…の間隔との関係を考慮し、複数の第二壁部３０６，…のそれぞれのＺ方向の長さが均一にされてもよい。
【００７７】
Ｘ方向の最も他方側に配置された第一柱部３０２及び第二柱部３０３のそれぞれが、一対の第一起立部３００ｄ，３００ｄのそれぞれの第二端部に連結されている。これに伴い、複数の第二壁部３０６，…のそれぞれの第一端部は、Ｘ方向の最も一方側に配置された第一柱部３０２に直接接続され、複数の第二壁部３０６，…のそれぞれの第二端部は、Ｘ方向の最も一方側に配置された第二柱部３０３に直接接続されている。これにより、複数の第二壁部３０６，…のそれぞれは、Ｘ方向の最も外側にある他方の単電池３，…と対向した状態で固定されている。
【００７８】
ここで、複数の第二壁部３０６，…の厚みは、底部３００から枠部３０１に向かうにつれて薄くなっている。そのため、複数の第二壁部３０６，…の内面とＸ方向の最も端にある単電池２の側面（ケース２０の第一平板部２００）との距離は、底部３００から枠部３０１に向かうにつれて大きくなっている。すなわち、複数の第二壁部３０６，…の内面は、底部３００から枠部３０１に向かうにつれて次第に単電池２の側面から離間する傾斜状となっている。複数の第二壁部３０６，…をこのように形成することで、Ｘ方向の最も端にある単電池２をホルダー本体３０内に挿入する際、挿入がしやすくなり、また、Ｘ方向の最も端にある単電池２を冷却して加温された気体が上部に逃げやすくなっている。
【００７９】
なお、複数の第二壁部３０６，…のそれぞれは、内面にリブ３０９を有している。それぞれのリブ３０９は、Ｚ方向に沿って形成され、且つ、Ｚ方向の同一線上に形成されている。より具体的に説明すると、それぞれのリブ３０９は、第二壁部３０６の上縁から下縁にかけてＺ方向に沿って形成され、且つ、Ｚ方向の同一線上に並ぶように形成されている。そのため、それぞれのリブ３０９は、Ｚ方向に長尺な一本のリブが第二通気用開放部３０７によって分断された形態となっている。Ｚ方向に長尺な一本のリブは、本実施形態では、複数の第二壁部３０６，…のそれぞれＹ方向の第一端部と第二端部の左右二箇所に形成されている（図５Ａでは、左側のみ現れている）。そして、それぞれのリブ３０９は、Ｘ方向の最も端にある単電池２の側面と平行に当接し、該単電池２のＸ方向における移動を規制している。
【００８０】
第二通気用開放部３０７は、Ｘ方向で開放するとともにＹ方向に開放している。より具体的に説明すると、第二通気用開放部３０７は、第二壁部３０６に沿って形成される第二壁部３０６の非形成領域である空間で構成される。第二通気用開放部３０７のＺ方向のサイズは、Ｙ方向の全長に亘って均一に設定されている。複数の第二壁部３０６，…がＺ方向に間隔をあけて配置されるのに伴い、第二通気用開放部３０７は、Ｚ方向に間隔をあけて複数箇所に形成される。本実施形態では、二つの第二壁部３０６，３０６がＺ方向に間隔をあけて配置される。これに伴い、第二通気用開放部３０７は、Ｚ方向で隣り合う二つの第二壁部３０６，３０６の間及び他方の第二壁部３０６と底部３００の第二起立部３００ｅとの間に形成される。そして、上述のように、他方の第二壁部３０６と底部３００の第二起立部３００ｅとの間隔が二つの第二壁部３０６，３０６の間隔と同一に設定されることにより、二つの第二通気用開放部３０７，３０７のそれぞれのＺ方向のサイズは同一になっている。
【００８１】
第二通気用開放部３０７によって形成される通気路（後述する第二モジュール間通気路）Ｒ２（図７及び図８参照）のＹ方向から見た断面積（気体が流通する全領域の面積）、より詳しくは、ホルダー本体３０を外部からＹ方向に見た場合の第二モジュール間通気路Ｒ２の断面積が第一通気用開放部３０５によって形成される第一モジュール間通気路Ｒ１（図７及び図８参照）のＹ方向から見た断面積（気体が流通する全領域の面積）と同一又は略同一になるように、第二通気用開放部３０７のＸ方向のサイズ及びＺ方向のサイズが設定されている。
【００８２】
本実施形態では、上述のように、第一モジュール間通気路Ｒ１（図７及び図８参照）の断面積がそれぞれの電池間通気路Ｒの断面積と同一又は略同一になるように、第一通気用開放部３０５のＸ方向のサイズ及びＺ方向のサイズが設定されている。従って、本実施形態では、第二モジュール間通気路Ｒ２（図７及び図８参照）の断面積についても、それぞれの電池間通気路ＲのＹ方向から見た断面積と同一又は略同一になるように、第二通気用開放部３０７のＸ方向のサイズ及びＺ方向のサイズが設定されている。本実施形態では、二箇所に第二通気用開放部３０７，３０７が形成されている。そのため、二箇所の第二通気用開放部３０７，３０７のそれぞれによって形成される第二モジュール間通気路Ｒ２，Ｒ２の断面積の合計がそれぞれの電池間通気路Ｒの断面積と同一又は略同一になるように、二つの第二通気用開放部３０７，３０７のそれぞれのサイズが設定されている。
【００８３】
そして、第一壁部３０４，…、第一通気用開放部３０５，…、第二壁部３０６，…及び第二通気用開放部３０７が上記のように配置されることで、本実施形態では、第一壁部３０４，…及び第二壁部３０６，…は、Ｚ方向で相対的に位置ずれして配置された状態になっている。
【００８４】
これにより、Ｚ方向において、第一通気用開放部３０５の配置が第二壁部３０６の配置に対応するとともに、第二通気用開放部３０７の配置が第一壁部３０４の配置に対応している。すなわち、構成の共通する二つ以上の電池モジュール１がＸ方向に整列されたときに、隣り合う電池モジュール１，１の第一通気用開放部３０５と第二壁部３０６とがＸ方向で重なるとともに、隣り合う電池モジュール１，１の第二通気用開放部３０７と第一壁部３０４とがＸ方向で重なるようになっている。
【００８５】
ホールド部材３１は、図６に示すように、枠部３０１内に嵌め込み可能な外枠部３１０と、外枠部３１０内に架設された梁部３１１とを備える。外枠部３１０は、ホルダー本体３０の底部３００上に配置された複数の単電池２，…のうちのＸ方向の最も外側にある二つの単電池２，２のうちの一方の単電池２の一方の外部端子（正極端子）２１と、他方の単電池２の他方の外部端子（負極端子）２１とを避けた状態で、複数の単電池２，…の全ての外部端子２１，…を取り囲むように形成されている。すなわち、外枠部３１０は、電池モジュール１の外部出力用の端子となる正極端子２１及び負極端子２１のみを外部に露出可能に形成されている。外枠部３１０の外周には、ホルダー本体３０の枠部３０１に設けられた係合穴３０１ｃと係合可能な係合突起３１２が設けられている。係合突起３１２は、係合穴の配置に対応して複数設けられている。これにより、ホールド部材３１は、外枠部３１０を枠部３０１に嵌め合わせた状態で、複数の係合突起３１２，…のそれぞれと複数の係合穴のそれぞれとが係合し、ホルダー本体３０と連結されるようになっている。
【００８６】
梁部３１１は、Ｘ方向に長手をなし、Ｘ方向の第一端部及び第一端部の反対側の第二端部を有する。ホールド部材３１は、複数の梁部３１１，３１１を備えている。複数の梁部３１１，３１１は、Ｙ方向に間隔をあけて配置されている。梁部３１１，３１１は、二つ設けられており、外枠部３１０内でＹ方向に間隔をあけて配置されている。二つの梁部３１１，３１１のそれぞれの第一端部及び第二端部は、外枠部３１０に接続されている。これにより、外枠部３１０の包囲する領域は、二つの梁部３１１，３１１によってＹ方向に三つの領域Ｓ１，Ｓ２，Ｓ３に区切られている。なお、複数の梁部３１１，３１１同士や、梁部３１１のＸ方向の途中部分と外枠部３１０とが適宜連結され、ホールド部材３１全体の強度が高められている。
【００８７】
ホールド部材３１は、外枠部３１０が枠部３０１に嵌め合わされた状態で、Ｙ方向の一方側でＸ方向に整列する複数の外部端子２１，…がＹ方向の一方側の領域Ｓ１内に配置され、Ｙ方向の他方側でＸ方向に整列する複数の外部端子２１，…がＹ方向の他方側の領域Ｓ３内に配置されるように構成されている。
【００８８】
ホールド部材３１は、ホルダー本体３０の枠部３０１に連結された状態で、梁部３１１，…が底部３００に載置された複数の単電池２，…の一方の第三平板部２０２上に配置されるように構成されている。
【００８９】
図２に戻り、バスバー４は、金属製のプレートで構成され、隣り合う単電池２，２の正極端子２１と負極端子２１とを電気的に接続する。カバー５は、ホールド部材３１の外枠部３１０によって包囲される領域の略全域を被覆可能に形成されている。すなわち、カバー５は、ホールド部材３１の外枠部３１０の包囲する領域内に露呈する単電池２の外部端子２１及びバスバー４を全体的に被覆可能に構成されている。カバー５は、外枠部３１０によって包囲される領域の略全域を被覆した状態で、ホルダー本体３１の外枠部３１０に連結可能に構成されている。
【００９０】
本実施形態に係る電池モジュール１は、以上の通りである。続いて、上記構成の電池モジュール１の作用及び効果について説明する。
【００９１】
ホルダー本体３０の底部３００上に複数の単電池２，…が配置されることで、枠部３０１、複数の第一柱部３０２，…、複数の第二柱部３０３，…、複数の第一壁部３０４，…及び複数の第二壁部３０６，…が複数の単電池２，…を一括して取り囲んだ状態になる。これにより、複数の単電池２，…のＸ方向及びＹ方向への移動が規制された状態になり、複数の単電池２，…は、Ｘ方向に所定の間隔をあけて整列した状態で維持される。
【００９２】
また、ホルダー本体３０にホールド部材３１を連結すると、ホールド部材３１が底部３００に載置された複数の単電池２，…上に配置される。これにより、複数の単電池２，…は、Ｘ方向及びＹ方向に加え、Ｚ方向の移動も規制される。
【００９３】
従って、振動の発生する機器に電力源として採用されても、複数の単電池２，…を電池間通気路Ｒの形成した適正な配置で確実に保持することができる。
【００９４】
そして、外部出力用の外部端子２１，２１に電気的な負荷が接続される。なお、電池モジュール１は、冷却用の送風機を備えたパッケージングケース（図示しない）に収容される。パッケージングケースは、収容した電池モジュール１のＹ方向における両側に配置された一対の通風路Ａ１，Ａ２（図４参照）を備えている。一方の通風路Ａ１は、送風機に気体的に接続され、他方の通風路Ａ２は、排気口に接続される。これにより、一方の通風路Ａ１に供給された気体が電池モジュール１の配置される領域を介して他方の通風路Ａ２に流れ込んで排気口から排気される。
【００９５】
これを前提に、図４に示すように、一方の通風路Ａ１からの気体が電池間通気路Ｒのそれぞれに流れ込み、また、電池間通気路Ｒに流れ込んだ気体が他方の通風路Ａ２に排気されることで、複数の電池間通気路Ｒのそれぞれを流通する気体によって、複数の単電池２，…のそれぞれが冷却される。これにより、充放電に伴う複数の単電池２，…の充放電に伴う温度上昇が抑制される。本実施形態では、単電池２，…のケース２０の外面を構成する平板部２００，２０１，２０３のうちの最も面積の広い第一平板部２００，２００の間に電池間通気路Ｒが形成されている。そのため、電池間通気路Ｒを流通する気体とケース２０との接触面積が広くなる結果、良好な冷却、すなわち、温度上昇の抑制、が可能となる。
【００９６】
そして、電池モジュール１が機器の電力源として複数搭載される場合、図７に示すように、複数の電池モジュール１…は、それぞれの単電池２，…がＸ方向で一列に並ぶように、Ｘ方向に整列して配置される。なお、この場合においても、一列に配置された複数の電池モジュール１，…のＹ方向の両側には、一対の通風路Ａ１，Ａ２が配置される。
【００９７】
そして、上述のように、複数の電池モジュール１…がＸ方向に整列して配置されるにあたり、隣り合う二つ電池モジュール１，１の一方の電池モジュール１の第一壁部３０４及び第一通気用開放部３０５に対し、他方の電池モジュール１の第二壁部３０６及び第二通気用開放部３０７が向き合うように配置される。
【００９８】
上述のように、複数の電池モジュール１，…のそれぞれにおいて、第一壁部３０４及び第二壁部３０６がＺ方向で相対的に位置ずれして配置されている。そして、第一通気用開放部３０５の配置が第二壁部３０６の配置に対応するとともに、第二通気用開放部３０７が第一壁部３０４の配置に対応している。
【００９９】
そのため、図８に示すように、隣り合う二つの電池モジュール１，１の一方の電池モジュール１の第一壁部３０４に、他方の電池モジュール１の第二通気用開放部３０７が重なるとともに、他方の電池モジュール１の第二壁部３０６に、一方の電池モジュール１の第一通気用開放部３０５が重なった状態になる。
【０１００】
これにより、一方の電池モジュール１における第一通気用開放部３０５の外側に向けて開放する部位が他方の電池モジュール１における第二壁部３０６に閉塞される。また、他方の電池モジュール１における第二通気用開放部３０７の外側に向けて開放する部位が一方の電池モジュール１における第一壁部３０４に閉塞される。
【０１０１】
この状態で、一方の電池モジュール１における第一通気用開放部３０５は、Ｘ方向で一方の電池モジュール１における単電池２側のみが開放し、Ｙ方向において両側で開放した第一モジュール間通気路Ｒ１となる。これにより、図９に示すように、第一モジュール間通気路Ｒ１は、一方の電池モジュール１の単電池間通気路Ｒと同様に、一方の電池モジュール１におけるＸ方向の最も一方側にある単電池２の第一平板部２００に気体を接触させつつ、気体をＹ方向に流通させ得るように形成される。本実施形態では、上述のように、第一通気用開放部３０５は、二箇所に形成されるため、第一モジュール間通気路Ｒ１もＺ方向に間隔をあけて二箇所に形成される。
【０１０２】
他方の電池モジュール１における第二通気用開放部３０７は、Ｘ方向で他方の電池モジュール１における単電池２側のみが開放し、Ｙ方向において両側で開放した第二モジュール間通気路Ｒ２となる。これにより、図１０に示すように、他方の電池モジュール１における第二モジュール間通気路Ｒ２は、他方の電池モジュール１の単電池間通気路Ｒと同様に、他方の電池モジュール１におけるＸ方向の最も他方側にある単電池２の第一平板部２００に気体を接触させつつ、気体をＹ方向に流通させ得るように形成される。本実施形態では、上述のように、第二通気用開放部３０７は、二箇所に形成されるため、第二モジュール間通気路Ｒ２もＺ方向に間隔をあけて二箇所に形成される。
【０１０３】
従って、第一モジュール間通気路Ｒ１を流通する気体は、一方の電池モジュール１におけるＸ方向の最も一方側の単電池２のみを冷却する。特に、第一モジュール間通気路Ｒ１が複数個所に形成されることで、単電池２のケース２０（の第一平板部２００）の全域が効率的に冷却される。また、第二モジュール間通気路Ｒ２を流通する気体は、他方の電池モジュール１におけるＸ方向の最も他方側の単電池２のみを冷却する。特に、第二モジュール間通気路Ｒ２が複数個所に形成されることで、単電池２のケース２０（の第一平板部２００）の全域が効率的に冷却される。
【０１０４】
このように、複数の電池モジュール１，…が機器の電力源として搭載される場合、隣り合う電池モジュール１，１の単電池２，…のそれぞれを冷却可能な状態で気体を円滑に流通させることができる。また、隣り合う電池モジュール１，１のそれぞれに形成された第一通気用開放部３０５と第二通気用開放部３０７とが重なり合うことがないため、必要以上のサイズに通気路が形成されない。
【０１０５】
従って、隣り合う電池モジュール１，１の単電池２，２であって、互いに向き合う単電池２，２のそれぞれを必要以上に冷却することが防止される。これにより、Ｘ方向の両端にある二つの単電池２，２と、該二つの単電池２，２の間にある単電池２，…との間で冷却状態に相違が生じることがない。すなわち、電池モジュール１における複数の単電池２，…のそれぞれがバランスよく冷却される。
【０１０６】
従って、複数の単電池２，…のそれぞれの寿命の均一化が図られ、安定した電力供給が可能となる。すなわち、複数の電池モジュール１を整列して配置したときに、それぞれの電池モジュール１における複数の単電池２，…を全体的にバランスよく冷却することができるといった優れた効果を奏し得る。
【０１０７】
また、上述のように、第一モジュール間通気路Ｒ１のＹ方向から見た断面積と第二モジュール間通気路Ｒ２のＹ方向から見た断面積とが同一又は略同一になるように、第一通気用開放部３０５及び第二通気用開放部３０７のそれぞれにおけるＸ方向及びＺ方向のサイズが設定されている。これにより、第一モジュール間通気路Ｒ１を流通する気体の流量と、第二モジュール間通気路Ｒ２を流通する気体の流量とを均一又は略均一にすることができる。これにより、隣り合う電池モジュール１，１の単電池２，…であって、互いに隣り合う単電池２，２を同等又は略同等の条件で冷却できる。従って、複数の電池モジュール１，１のそれぞれにおける複数の単電池２，…を等しい条件で冷却することができ、安定した電力供給が可能となる。
【０１０８】
特に、第一モジュール間通気路Ｒ１や第二モジュール間通気路Ｒ２のＹ方向から見た断面積がそれぞれの電池間通気路ＲのＹ方向から見た断面積と同一又は略同一になるように、第一通気用開放部３０５及び第二通気用開放部３０７のそれぞれにおけるＸ方向及びＺ方向のサイズが設定されている。これにより、第一モジュール間通気路Ｒ１、第二モジュール間通気路Ｒ２及び電池間通気路Ｒ，…を流通する気体の流量が等しく又は略等しくなる。従って、電池モジュール１における複数の単電池２，…の全てを同じ又は略同じ条件で冷却することができる。
【０１０９】
なお、本発明は、上記実施形態に限定されるものではなく、本発明の要旨を逸脱しない範囲で適宜変更し得ることは勿論である。
【０１１０】
上記実施形態において、第一壁部３０４、第一通気用開放部３０５、第二壁部３０６及び第二通気用開放部３０７のそれぞれが複数設けられたが、これに限定されるものではない。例えば、第一壁部３０４、第一通気用開放部３０５、第二壁部３０６及び第二通気用開放部３０７のそれぞれが一つずつ設けられてもよい。また、第一壁部３０４、第一通気用開放部３０５、第二壁部３０６及び第二通気用開放部３０７のそれぞれが三つ以上設けられてもよい。これらの場合においても、第一壁部３０４と第二壁部３０６とがＺ方向で位置ずれした状態にされ、第一壁部３０４の配置と第二通気用開放部３０７の配置が対応し、第二壁部３０６の配置と第一通気用開放部３０５の配置が対応することが好ましい。
【０１１１】
上記実施形態において、第一壁部３０４の数と第二壁部３０６の数とが同数に設定されたが、これに限定されるものではない。第一壁部３０４と第二通気用開放部３０７の数及び配置が対応するとともに、第二壁部３０６と第一通気用開放部３０５の数及び配置が対応すれば、第一壁部３０４の数と第二壁部３０６の数とが異なってもよい。例えば、第一壁部３０４の両側に二つの第一通気用開放部３０５，３０５が形成される場合、第二通気用開放部３０７の両側に二つの第二壁部３０６，３０６が配置されればよい。このようにしても、第一通気用開放部３０５，３０５と第二壁部３０６，３０６とが対応した配置にされるとともに、第一壁部３０４と第二通気用開放部３０７とが対応した配置にされることで、二つの第一通気用開放部３０５，３０５のそれぞれの第一方向で外側に向けて開放した部分が二つの第二壁部３０６，３０６のそれぞれによって閉塞され、第一モジュール間通気路Ｒ１が形成される。また、第二通気用開放部３０７の第一方向で外側に向けて開放した部分が第一壁部３０４によって閉塞され、第二モジュール間通気路Ｒ２が形成される。
【０１１２】
上記実施形態において、ホルダー本体３０の底部３００が底部本体３００ａと底枠部３００ｂとを備えたが、これに限定されるものではない。例えば、底部３００は、複数の単電池２，…を載置可能な底部本体３００ａのみで構成されてもよい。また、上記実施形態において、底部３００に、隣り合う単電池２，２の間隔を保つための複数のスペーサ３００ｃ，…が設けられたが、これに限定されるものではない。例えば、複数の第一柱部３０２，…のそれぞれと、複数の第二柱部３０３，…のそれぞれとが対応した配置にされ、隣り合う単電池２，２の間に配置されるスペーサが互いに対応する第一柱部３０２と第二柱部３０３とに架設されてもよい。この場合、スペーサは電池間通気路Ｒの形成を阻害しないように配置されることは言うまでもない。
【０１１３】
上記実施形態において、底部３００と枠部３０１とを接続する柱部３０２及び柱部３０３は、それぞれ複数設けられたが、これに限定されるものではない。柱部３０２及び柱部３０３のそれぞれは、底部３００と枠部３０１とを接続することができれば、少なくとも一つ設けられればよい。従って、第一柱部３０２及び第二柱部３０３は、少なくとも一つずつ設けられればよい。これらの場合においても、柱部３０２，３０３は、電池間通気路Ｒと非対向状態で配置されることは言うまでもない。また、上記実施形態において、第一柱部３０２と第二柱部３０３とが設けられたが、両方が設けられる必要はない。
【０１１４】
上記実施形態において、同じ形態の電池モジュール１を一列に配置することを前提に、第一壁部３０４と第二壁部３０６とがＺ方向で相対的に位置ずれした状態に配置され、一方の電池モジュール１の第一壁部３０４と他方の電池モジュール１の第二通気用開放部３０７とが重なるとともに、一方の電池モジュール１の第一通気用開放部３０５と他方の電池モジュール１の第二壁部３０７とが重なるようにしたが、これに限定されるものではない。例えば、二種類の電池モジュール１，１を交互に配置することを前提に、第一壁部３０４と第二壁部３０６とがＺ方向で同レベルに配置されるようにしてもよい。この場合、一方の電池モジュール１の第一壁部３０４及び第二壁部３０５に対し、隣り合う他方の電池モジュール１の第一壁部３０４及び第二壁部３０５を第三方向でずれた配置にすることで、一方の電池モジュール１の第一壁部３０４と他方の電池モジュール１の第二通気用開放部３０７とが重なるとともに、一方の電池モジュール１の第一通気用開放部３０５と他方の電池モジュール１の第二壁部３０７とが重なるようにできる。
【０１１５】
上記実施形態において、隣り合う電池モジュール１，１の一方の電池モジュール１の第一壁部３０４が他方の電池モジュール１の第二通気用開放部３０７全体に重なるとともに、隣り合う電池モジュール１，１の一方の電池モジュール１の第一通気用開放部３０５全体に他方の電池モジュール１の第二壁部３０６が重なるように構成されたが、これに限定されるものではない。例えば、一方の電池モジュール１の第一壁部３０４の少なくとも一部が他方の電池モジュール１の第二通気用開放部３０７に重なるとともに、一方の電池モジュール１の第一通気用開放部３０５に他方の電池モジュール１の第二壁部３０６の一部が重なるように構成されてもよい。このようにしても、第一通気用開放部３０４及び第二通気用開放部３０６のそれぞれにおいて、気体をＹ方向に円滑に流通させることができ、第一方向における最も端にある単電池２，２を冷却することができる。
【０１１６】
上記実施形態において、同じ形態の電池モジュール１がＸ方向に整列されることを前提にしたが、これに限定されるものではなく、例えば、一つの電池モジュール１を対象とする場合、第一壁部３０４と第二壁部３０６との相対的な配置は適宜変更可能である。第一壁部３０４の配置に第二壁部３０６の配置が対応しなくても、第一通気用開放部３０５及び第二通気用開放部３０７のそれぞれが気体をＹ方向に流通させる通気路として機能し、Ｘ方向の最も端にある単電池２を適正に冷却することができる。
【０１１７】
上記実施形態において、第一壁部３０４と第一通気用開放部３０５とが第三方向に並ぶように配置されるとともに、第二壁部３０６と第二通気用開放部３０７とが第三方向に並ぶように配置されたが、これに限定されるものではない。例えば、Ｘ方向の最も端にある二つの単電池２，２のうちの一方がバスバー４の接続で十分な放熱効果が得られる場合、第一壁部３０４又は第二壁部３０６のうちの何れか一方を設けるとともに、第一壁部３０４又は第二壁部３０６のうちの何れか一方と第三方向で隣り合う第一通気用開放部３０５又は第二通気用開放部３０６を設ければよい。
【０１１８】
上記実施形態において、第一モジュール間通気路Ｒ１や第二モジュール間通気路Ｒ２のＹ方向から見た断面積とそれぞれの電池間通気路Ｒの第二方向から見た断面積とが同一又は略同一に設定されているが、これに限定されるものではない。例えば、Ｘ方向の中央にある電池通気路ＲのＹ方向から見た断面積が、他の電池通気路ＲのＹ方向から見た断面積や、第一モジュール間通気路Ｒ１や第二モジュール間通気路Ｒ２のＹ方向から見た断面積よりも大きいなるよう、Ｘ方向の中央にある単電池２，２がその間の間隔を広げて配置されるようにしてもよい。かかる構成によれば、蓄電装置における複数の単電池２，…のうち、発熱度合いが高い、Ｘ方向の中央にある単電池２，２を効果的に冷却することができる。なお、この対策を講じる、Ｘ方向の中央にある電池通気路Ｒは、一つに限定されるものではなく、Ｘ方向の中央にあるいくつかの電気通気路Ｒ，…であっても勿論構わない。
【０１１９】
また、それぞれの電池通気路ＲのＹ方向から見た断面積が第一モジュール間通気路Ｒ１や第二モジュール間通気路Ｒ２のＹ方向から見た断面積よりも小さくなるよう、それぞれの単電池２がより接近して配置されるようにしてもよい。かかる構成によれば、それぞれの電池間通気路Ｒを流通する気体の流量が第一モジュール間通気路Ｒ１や第二モジュール間通気路Ｒ２を流通する気体の流量よりも少なくなるものの、単電池２，２間に異物が混入して単電池２，２間が短絡するのを防止することができる。
【０１２０】
上記実施形態において、リチウムイオン二次電池について説明した。しかしながら、電池の種類や大きさ（容量）は任意である。
【０１２１】
本発明は、リチウムイオン二次電池に限定されるものではない。本発明は、種々の二次電池、その他、一次電池や、電気二重層キャパシタ等のキャパシタにも適用可能である。
【符号の説明】
【０１２２】
１…電池モジュール、２…単電池、３…ホルダー、４…バスバー、５…カバー、２０…ケース、２１…正極端子（外部端子）、２１…負極端子（外部端子）、３０…ホルダー本体、３１…ホールド部材、４０…第一挿通穴、４１…第二挿通穴、２００…第一平板部、２０１…第二平板部、２０２…第三平板部、３００…底部、３００ａ…底部本体、３００ｂ…底枠部、３００ｃ…スペーサ、３００ｄ…第一起立部、３００ｅ…第二起立部、３０１…枠部、３０１ａ…第一枠板部、３０１ｂ…第二枠板部、３０１ｃ…係合穴、３０２…第一柱部、３０３…第二柱部、３０４…第一壁部（壁部）、３０５…第一通気用開放部（通気用開放部）、３０６…第二壁部（壁部）、３０７…第二通気用開放部（通気用開放部）、３１０…外枠部、３１１…梁部、３１２…係合突起、Ｅ１…第一縁部、Ｅ２…第二縁部、Ｇ…気体、Ｒ…単電池間通気路（通気路）、Ｒ１…第一モジュール間通気路、Ｒ２…第二モジュール間通気路、ＶＳ１…仮想面、ＶＳ２…仮想面、Ｓ１，Ｓ２，Ｓ３…領域、Ａ１，Ａ２…通風路
【図１】
0006025030.tif 000002
【図２】
0006025030.tif 000003
【図３】
0006025030.tif 000004
【図４】
0006025030.tif 000005
【図５】
0006025030.tif 000006
【図６】
0006025030.tif 000007
【図７】
0006025030.tif 000008
【図８】
0006025030.tif 000009
【図９】
0006025030.tif 000010
【図１０】
0006025030.tif 000011